【手続補正書】
【提出日】平成16年10月13日(2004.10.13)
【手続補正１】
【補正対象書類名】明細書
【補正対象項目名】特許請求の範囲
【補正方法】変更
【補正の内容】
【特許請求の範囲】
【請求項１】  多元接続通信システムにおける受信改良方法であって、
（１）送信器から送信される少なくとも１つの干渉信号を決定するステップと、
（２）前記少なくとも１つの決定された干渉信号の、受信器における受信電力レベルを決定するステップと、
（３）別の送信機から送信される少なくとも１つの干渉信号を決定するステップと、
（４）前記別の送信機からの前記少なくとも１つの決定された干渉信号の、前記受信機における受信電力レベルを決定するステップと、
（５）前記受信機で受信される全信号から、ステップ（２）で決定された受信電力レベルで、ステップ（１）で決定された前記少なくとも１つの干渉信号を差し引くステップと、
（６）ステップ（４）で決定された前記受信電力レベルと所定の閾値レベルとを比較し、該閾値レベルを越えていなければ、ステップ（７）を省くステップと、
（７）前記受信機で受信される全信号から、ステップ（４）で決定された受信電力レベルで、ステップ（３）で決定された少なくとも１つの前記干渉信号を差し引くステップと、
（８）前記差し引くステップの結果から所望の信号を決定するステップと、
を含む、方法。
【請求項２】  前記少なくとも１つの干渉信号は同期化信号を含む、請求項１に記載の方法。
【請求項３】  前記送信器によって少なくとも２つの干渉信号が送信され、前記受信器が前記少なくとも２つの干渉信号の各々と該干渉信号の各々の各受信電力レベルとを決定し、決定された該干渉信号を、前記全受信信号から前記各受信電力レベルで差し引く、請求項１に記載の方法。
【請求項４】  前記少なくとも２つの干渉信号は、前記送信器から送信される信号のスロットタイミングを決定する第一の同期化信号と、前記送信器から送信される信号のフレームタイミングを決定する第二の同期化信号と、を含む、請求項３に記載の方法。
【請求項５】  前記少なくとも１つの干渉信号は通信システム制御信号を含む、請求項１に記載の方法。
【請求項６】  ステップ（３）で決定される前記干渉信号は、少なくとも１つの別の受信器に関しては非干渉信号を含む、請求項１に記載の方法。
【請求項７】  ステップ（３）で決定される前記干渉信号はパイロット信号である、請求項６に記載の方法。
【請求項８】  前記別の送信器は隣接する基地局を含む、請求項１に記載の方法。
【請求項９】  前記別の送信器は、多数のセクターを有する基地局の隣接するセクターを含む、請求項１に記載の方法。
【請求項１０】  前記比較するステップを所定の間隔で実行する、請求項１に記載の方法。
【請求項１１】  多元接続通信システムにおける受信改良方法であって、
（１）送信器から送信される少なくとも１つの干渉信号を決定するステップと、
（２）前記少なくとも１つの決定された干渉信号の、受信器における受信電力レベルを決定するステップと、
（３）別の送信機から送信される少なくとも１つの干渉信号を決定するステップと、
（４）前記別の送信機からの前記少なくとも１つの決定された干渉信号の、前記受信機における受信電力レベルを決定するステップと、
（５）前記受信機で受信される全信号から、ステップ（２）で決定された受信電力レベルで、ステップ（１）で決定された前記少なくとも１つの干渉信号を差し引くステップと、
（６）前記受信機で受信される全信号から、ステップ（４）で決定された受信電力レベルで、ステップ（３）で決定された少なくとも１つの前記干渉信号を差し引くステップと、
（７）前記差し引くステップの結果から所望の信号を決定するステップと、
を含み、
ステップ（３）及びステップ（４）は少なくとも２つの他の送信機から、ステップ（４）で最も高い受信電力レベルを有する送信機を選択するために実行され、
ステップ（６）は選択された送信機について実行される、
方法。
【請求項１２】  前記少なくとも１つの干渉信号は同期化信号を含む、請求項１１に記載の方法。
【請求項１３】  前記送信器によって少なくとも２つの干渉信号が送信され、前記受信器が前記少なくとも２つの干渉信号の各々と該干渉信号の各々の各受信電力レベルとを決定し、決定された該干渉信号を、前記全受信信号から前記各受信電力レベルで差し引く、請求項１１に記載の方法。
【請求項１４】  前記少なくとも２つの干渉信号は、前記送信器から送信される信号のスロットタイミングを決定する第一の同期化信号と、前記送信器から送信される信号のフレームタイミングを決定する第二の同期化信号と、を含む、請求項１３に記載の方法。
【請求項１５】  前記少なくとも１つの干渉信号は通信システム制御信号を含む、請求項１１に記載の方法。
【請求項１６】  ステップ（３）で決定される前記干渉信号は、少なくとも１つの別の受信器に関しては非干渉信号を含む、請求項１１に記載の方法。
【請求項１７】  ステップ（３）で決定される前記干渉信号はパイロット信号である、請求項１６に記載の方法。
【請求項１８】  前記別の送信器は隣接する基地局を含む、請求項１１に記載の方法。
【請求項１９】  前記別の送信器は、多数のセクターを有する基地局の隣接するセクターを含む、請求項１１に記載の方法。
【請求項２０】  ステップ（３）及びステップ（４）は、所定の間隔で、少なくとも２つの他の送信機から、ステップ（４）で最も高い受信電力レベルを有する送信機を選択するために実行され、
ステップ（６）は選択された送信機について実行される、
請求項１１に記載の方法。
【請求項２１】  多元接続通信システムにおける受信改良方法であって、
（１）所定の少なくとも１つの干渉信号であって、送信機から送信された該少なくとも１つの干渉信号の、受信器における受信電力レベルを決定するステップと、
（２）前記受信機で受信される全信号から、前記受信電力レベルで、前記少なくとも１つの干渉信号を差し引くステップと、
（３）前記差し引くステップの結果から所望の信号を決定するステップと、
を含む、方法。
【請求項２２】  前記少なくとも１つの干渉信号は同期化信号を含む、請求項２１に記載の方法。
【請求項２３】  前記送信器によって少なくとも２つの干渉信号が送信され、前記受信器が該干渉信号の各々の各受信電力レベルを決定し、該干渉信号を、前記全受信信号から各々の前記受信電力レベルで差し引く、請求項２１に記載の方法。
【請求項２４】  前記少なくとも２つの干渉信号は、前記送信器から送信される信号のスロットタイミングを決定する第一の同期化信号と、前記送信器から送信される信号のフレームタイミングを決定する第二の同期化信号と、を含む、請求項２３に記載の方法。
【請求項２５】  前記少なくとも１つの干渉信号は通信システム制御信号を含む、請求項２１に記載の方法。
【請求項２６】  （ａ）先験的に知られている別の送信機からの少なくとも１つの干渉信号であって、該別の送信機からの少なくとも１つの該干渉信号の、前記受信機における受信電力レベルを決定するステップと、
（ｂ）前記受信機で受信される全信号から、ステップ（ａ）で決定された受信電力レベルで、別の送信機からの前記少なくとも１つの干渉信号を差し引くことにより、ステップ（２）を実行するステップと、
（ｃ）前記差し引くステップの結果から所望の信号を決定するためにステップ（３）を実行するステップと、
をさらに含む、請求項２１に記載の方法。
【請求項２７】  別の送信機からの前記少なくとも１つの干渉信号は、少なくとも１つの別の受信器に関しては非干渉信号を含む、請求項２６に記載の方法。
【請求項２８】  別の送信機からの前記少なくとも１つの干渉信号はパイロット信号である、請求項２７に記載の方法。
【請求項２９】  前記別の送信器は隣接する基地局を含む、請求項２６に記載の方法。
【請求項３０】  前記別の送信器は、多数のセクターを有する基地局の隣接するセクターを含む、請求項２６に記載の方法。
【請求項３１】  ステップ（ａ）で決定された前記受信電力レベルと所定の閾値レベルとを比較し、該閾値レベルを越えていなければ、ステップ（ｂ）及び（ｃ）を省くステップ、をさらに含む請求項２６に記載の方法。
【請求項３２】  前記比較するステップは、所定の間隔で実行される、請求項３１に記載の方法。
【請求項３３】  ステップ（ａ）は少なくとも２つの他の送信機から、ステップ（ａ）で最も高い受信電力レベルを有する送信機を選択するために実行され、
ステップ（ｂ）及びステップ（ｃ）は選択された送信機について実行される、
請求項２６に記載の方法。
【請求項３４】  ステップ（ａ）は、所定の間隔で、最も高い受信電力レベルを有する送信機を選択するために実行され、
ステップ（ｂ）及び（ｃ）は選択された送信機について実行される、
請求項３３に記載の方法。
【手続補正２】
【補正対象書類名】明細書
【補正対象項目名】００３４
【補正方法】変更
【補正の内容】
【００３４】
加入者端末３２の受信器では、信号は「Ｄ1ｃ1＋ｓ1＋ｎ、Ｄ1ｃ2＋ｓ2＋ｎ、Ｄ1ｃ3＋ｓ3＋ｎ、…Ｄ1ｃi＋ｓi＋ｎ」の形態で受信される。この演算結果について点乗積演算１０６が行われ、「Ｄ1（ｃ1ｃ1＋ｃ2ｃ2＋ｃ3ｃ3＋…＋ｃiｃi）＋（ｃ1ｓ1＋ｃ2ｓ2＋ｃ3ｓ3＋…＋ｃiｓi）＋ｎ」が得られる。ここではノイズｎの影響を一括して扱い、１つの値ｎとして表示している。チップ「ｃ」の値が−１もしくは＋１のみであり、一次同期化チップ「ｓ」の値が−１もしくは＋１のみであることがわかれば、この演算結果は簡約して「４ｉＤ1＋（ｃ1ｓ1＋ｃ2ｓ2＋ｃ3ｓ3＋…＋ｃiｓi）＋ｎ」とすることができる。従来の通信システムでは、Ｄ1の値を決定するため、受信器において、ヴィテルビ(Viterbi)デコーダ等の適切な手段によりこの演算結果について推定が行われる。この処理は所望の信号の次のビットであるＤ2についても繰り返し行われる。
【手続補正３】
【補正対象書類名】明細書
【補正対象項目名】００４６
【補正方法】変更
【補正の内容】
【００４６】
次に受信状態のよい基地局２４ｃからの送信が所定の閾値を上回る電力レベルで受信されると、加入者端末３２１は、上述したものと同じ技術を用いて基地局２４ｃからの送信のスロット及びフレームのタイミング、及び電力レベルを決定する。そして、基地局２４ｃのＰＳＣＨ及びＳＳＣＨを上述の方法と同一の方法で差し引く。すなわち、加入者端末３２１は信号「４ｉＤ1＋（ｃ11ｓｐ11＋ｃ12ｓｐ12＋ｃ13ｓｐ13＋…＋ｃ1iｓｐ1i）＋（ｃ11ｓｓ11＋ｃ12ｓｓ12＋ｃ13ｓｓ13＋…＋ｃ1iｓｓ1i）＋（ｃ21ｓｐ21＋ｃ22ｓｐ22＋ｃ23ｓｐ23＋…＋ｃ2iｓｐ2i）＋（ｃ21ｓｓ21＋ｃ22ｓｓ22＋ｃ23ｓｓ23＋…＋ｃ2iｓｓ2i）＋ｎ」を受信する。ｃ1i、ｓｐ1i、ｓｓ1iは基地局２４ａのそれぞれチップ、一次、二次同期信号であり、ｃ2i、ｓｐ2i、ｓｓ2iは次に受信状態のよい基地局２４ｃのそれぞれチップ、一次、二次同期信号である。この受信信号について点乗積を行い、「（ｃ11ｓｐ11＋ｃ12ｓｐ12＋ｃ13ｓｐ13＋…＋ｃ1iｓｐ1i）」、「（ｃ11ｓｓ11＋ｃ12ｓｓ12＋ｃ13ｓｓ13＋…＋ｃ1iｓｓ1i）」、「（ｃ21ｓｐ21＋ｃ22ｓｐ22＋ｃ23ｓｐ23＋…＋ｃ2iｓｐ2i）」、「（ｃ21ｓｓ21＋ｃ22ｓｓ22＋ｃ23ｓｓ23＋…＋ｃ2iｓｓ2i）」を差し引くと、４ｉＤ1＋ｎが得られ、この値から所望の信号Ｄ1を決定することができる。他の多元接続システム、例えばＩＳ−９５や、他の無線システムについても、同様のオペレーションを実施することができる。
【手続補正４】
【補正対象書類名】図面
【補正対象項目名】図２
【補正方法】変更
【補正の内容】
【図２】
2004511189.tif 000001
【手続補正５】
【補正対象書類名】図面
【補正対象項目名】図３
【補正方法】変更
【補正の内容】
【図３】
2004511189.tif 000002